(57)【要約】【課題】各監視カメラの切り換えや設定変更を一つの撮像制御装置によって行うことができ、簡単な構成で多様な撮像手段の切り替えと制御ができる撮像制御装置およびこのような撮像制御装置を備えた表面実装機を提供する。【解決手段】複数の撮像手段１５、１６と画像処理装置２３との間に設けられたシリアル通信線３２と、このシリアル通信線３２により伝達されるシリアル通信信号に含まれる切り替え情報に応じて撮像信号線切り替え回路３１ａの信号線と制御信号線切り替え回路３１ｂの信号線の選択的な切り替えを制御する演算回路３３と、を備えた。【選択図】図４
2008092355.tif 000002
【特許請求の範囲】
【請求項１】
複数の撮像手段と画像処理装置との間に設けられる撮像制御装置であって、
撮像手段が発信した画像にかかる撮像信号を画像処理装置に伝達する各撮像手段ごとの撮像信号線と、
撮像手段の駆動を制御する制御信号を撮像手段に伝達する各撮像手段ごとの制御信号線と、
各撮像信号線および各制御信号線を介して各撮像手段に接続されるとともに各信号線を介して画像処理装置に接続される信号処理装置と、
複数の撮像手段と信号処理装置と画像処理装置とにわたって設けられ、撮像手段と画像処理装置との間で送受信するシリアル通信信号を相互に伝達するシリアル通信線とを備え、
上記信号処理装置は、
いずれかの撮像手段からの撮像信号を選択的に画像処理装置に送るように撮像信号線を切り替える撮像信号線切り替え回路と、
画像処理装置が発信した制御信号を選択的にいずれかの撮像手段に送るように制御信号線を切り替える制御信号線切り替え回路と、
上記シリアル通信線により複数の撮像手段と画像処理装置との間で伝達されるシリアル通信信号に含まれる切り替え情報に応じて、上記撮像信号線切り替え回路および制御信号線切り替え回路における切り替えを制御する演算回路とを含んでいることを特徴とする撮像制御装置。
【請求項２】
上記撮像手段と信号処理装置との間において上記撮像信号と、制御信号と、シリアル通信信号とは、撮像手段および信号処理装置の両方もしくはいずれか一方に対して装脱可能な、一体となった撮像手段側複合通信ケーブルに備えられた撮像信号線と、制御信号線と、シリアル通信線とを介してそれぞれの信号が撮像手段と信号処理装置との間で授受されるものであることを特徴とする請求項１に記載の撮像制御装置。
【請求項３】
上記信号処理装置と画像処理装置との間において上記撮像信号と、制御信号と、シリアル通信信号とは、信号処理装置および画像処理装置の両方もしくはいずれか一方に対して装脱可能な、一体となった画像処理装置側複合通信ケーブルに備えられた撮像信号線と、制御信号線と、シリアル通信線とを介してそれぞれの信号が信号処理装置と画像処理装置との間で授受されるものであることを特徴とする請求項１または請求項２のいずれか１項に記載の撮像制御装置。
【請求項４】
上記撮像信号は、撮像手段が撮像した画像の画像信号と撮像手段が採用しているクロック信号とを含み、
上記撮像信号線は、この画像信号を伝達する画像信号線とクロック信号を伝達するクロック信号線とを備え、
上記撮像信号線切り替え回路は、この画像信号線を選択的に切り替える画像信号線切り替え回路とクロック信号線を選択的に切り替えるクロック信号線切り替え回路とを備えていることを特徴とする請求項１ないし請求項３のいずれか１項に記載の撮像制御装置。
【請求項５】
上記シリアル通信信号は、撮像手段の状態を報告するレポート情報および撮像手段の設定変更にかかる設定コマンド情報を含んでいることを特徴とする請求項１ないし請求項４のいずれか１項に記載の撮像制御装置。
【請求項６】
吸着ノズルを備えた移動可能な実装用ヘッドの前記吸着ノズルにより部品供給部から電子部品を吸着するとともに、この吸着ノズルに吸着された電子部品の吸着状態を画像認識手段により画像認識してからこの電子部品を基板上に実装する表面実装機であって、
上記画像認識手段に設けられた撮像手段を含む複数の撮像手段と、この撮像手段が撮像した画像の画像処理を行う画像処理装置と、請求項１ないし請求項５のいずれか１項に記載の撮像制御装置を備えていることを特徴とする表面実装機。
【発明の詳細な説明】
【技術分野】
【０００１】
本発明は、例えば産業用の監視カメラなど複数の撮像手段を制御する撮像制御装置と、このような撮像制御装置を備えた表面実装機に関するものである。
【背景技術】
【０００２】
一般に、電子部品を基板上に実装する表面実装機には、吸着ノズルに吸着された電子部品の吸着状態を認識するためのカメラや基板に付されたマークを認識するためのカメラなどの複数の撮像手段と、このような撮像手段が発信した画像信号を認識処理する画像処理装置とが設けられている。
【０００３】
そして、これら複数の撮像手段と画像処理装置との間には、画像信号を画像処理装置に伝達する画像信号線と、画像処理装置が発信した撮像手段の駆動を制御する制御信号を撮像手段に伝達する制御信号線とが設けられ、これら画像信号線と、制御信号線とを適宜切り替えて、任意の撮像手段の画像信号を１つの画像処理装置で認識処理できるように構成されている。
【０００４】
例えば、特許文献１には、クロック信号、水平および垂直同期パルス、各種電源を切り替える信号切り替え部を備えた監視カメラ切り替え装置の技術が開示されている。
【特許文献１】特開平７−２６４５７６号公報
【発明の開示】
【発明が解決しようとする課題】
【０００５】
しかしながら、上述の監視カメラ切り替え装置の技術では、クロック信号、水平および垂直同期パルス、各種電源等を制御するための信号制御ユニットのほかに、監視カメラの切り替えを行うための信号切り替えユニットおよび切り換え用信号線等を別途設ける必要がある。その結果、監視カメラと制御装置のためのシステムが高価になるという問題があった。
【０００６】
本発明は上記不具合に鑑みてなされたものであり、各監視カメラの切り換えや設定変更を一つの撮像制御装置によって行うことができ、簡単な構成で多様な撮像手段の切り替えと制御ができる撮像制御装置およびこのような撮像制御装置を備えた表面実装機を提供することを課題としている。
【課題を解決するための手段】
【０００７】
上記課題を解決するための本発明にかかる撮像制御装置は、複数の撮像手段と画像処理装置との間に設けられる撮像制御装置であって、撮像手段が発信した画像にかかる撮像信号を画像処理装置に伝達する各撮像手段ごとの撮像信号線と、撮像手段の駆動を制御する制御信号を撮像手段に伝達する各撮像手段ごとの制御信号線と、各撮像信号線および各制御信号線を介して各撮像手段に接続されるとともに各信号線を介して画像処理装置に接続される信号処理装置と、複数の撮像手段と信号処理装置と画像処理装置とにわたって設けられ、撮像手段と画像処理装置との間で送受信するシリアル通信信号を相互に伝達するシリアル通信線とを備え、上記信号処理装置は、いずれかの撮像手段からの撮像信号を選択的に画像処理装置に送るように撮像信号線を切り替える撮像信号線切り替え回路と、画像処理装置が発信した制御信号を選択的にいずれかの撮像手段に送るように制御信号線を切り替える制御信号線切り替え回路と、上記シリアル通信線により複数の撮像手段と画像処理装置との間で伝達されるシリアル通信信号に含まれる切り替え情報に応じて、上記撮像信号線切り替え回路および制御信号線切り替え回路における切り替えを制御する演算回路とを含んでいることを特徴としている。
【０００８】
本発明によれば、複数の撮像手段と画像処理装置との間に設けられたシリアル通信線が、撮像手段と画像処理装置との間で送受信するシリアル通信信号を相互に伝達し、演算回路が、このシリアル通信信号に含まれる切り替え情報に応じて、複合切り替え回路の撮像信号線切り替え回路と、制御信号線切り替え回路とにおける、それぞれの信号線の選択的な切り替えを制御する。その結果、シリアル通信信号に含まれる切り替え情報を介して、ゲインや露光時間などの、各監視カメラの設定変更についても撮像制御装置側から切り替えたり、変更したりすることができるようになるなど、一つの撮像制御装置から多様な撮像手段の切り替えと制御ができるようになる。
【０００９】
そして、シリアル通信を利用して切り替え情報を与えるようにしているため、信号切り替えのための制御ユニットや配線を別途設ける必要がない。
【００１０】
ここで、上記撮像手段と信号処理装置との間において上記撮像信号と、制御信号と、シリアル通信信号とは、撮像手段および信号処理装置の両方もしくはいずれか一方に対して装脱可能な、一体となった撮像手段側複合通信ケーブルに備えられた撮像信号線と、制御信号線と、シリアル通信線とを介してそれぞれの信号が撮像手段と信号処理装置との間で授受されるものであることが好ましい。
【００１１】
このようにすれば、撮像手段や信号処理装置に装脱可能な、撮像手段側複合通信ケーブルを介してそれぞれの信号が授受されるので、撮像手段と信号処理装置との間の信号線にかかる配線とその取り扱いが容易になる。
【００１２】
また、上記信号処理装置と画像処理装置との間において上記撮像信号と、制御信号と、シリアル通信信号とは、信号処理装置および画像処理装置の両方もしくはいずれか一方に対して装脱可能な、画像処理装置側複合通信ケーブルに備えられた撮像信号線と、制御信号線と、シリアル通信線とを介してそれぞれの信号が撮像手段と信号処理装置との間で授受されるものであることが好ましい。
【００１３】
このようにすれば、信号処理装置や画像処理装置に装脱可能な、画像処理装置側複合通信ケーブルを介してそれぞれの信号が授受されるので、信号処理装置と画像処理装置との間の信号線にかかる配線とその取り扱いが容易になる。
【００１４】
そして、上記撮像信号は、撮像手段が撮像した画像の画像信号と撮像手段が採用しているクロック信号とを含み、上記撮像信号線は、この画像信号を伝達する画像信号線とクロック信号を伝達するクロック信号線とを備え、上記撮像信号線切り替え回路は、この画像信号線を選択的に切り替える画像信号線切り替え回路とクロック信号線を選択的に切り替えるクロック信号線切り替え回路とを備えていることが好ましい。
【００１５】
このようにすれば、画像信号線切り替え回路が、画像信号線を選択的に切り替えるとともに、クロック信号線切り替え回路が、クロック信号線を選択的に切り替えるので、画像信号としてデジタルな画像信号を複数の撮像手段と画像処理装置との間で切り替えることができるようになる。
【００１６】
また、上記シリアル通信信号は、撮像手段の状態を報告するレポート情報および撮像手段の設定変更にかかる設定コマンド情報を含んでいることが好ましい。
【００１７】
このようにすれば、撮像手段の切り替えを行う際に、選択した撮像手段の状態にかかるレポート情報を入手したり、この撮像手段の設定変更を行ったりすることができるようになる。
【００１８】
また、上記課題を解決するための本発明にかかる表面実装機は、吸着ノズルを備えた移動可能な実装用ヘッドの前記吸着ノズルにより部品供給部から電子部品を吸着するとともに、この吸着ノズルに吸着された電子部品の吸着状態を画像認識手段により画像認識してからこの電子部品を基板上に実装する表面実装機であって、上記画像認識手段に設けられた撮像手段を含む複数の撮像手段と、この撮像手段が撮像した画像の画像処理を行う画像処理装置と、上記の本発明にかかる撮像制御装置を備えていることを特徴としている。
【００１９】
本発明にかかる表面実装機によれば、表面実装機の画像認識手段が上記の本発明にかかる撮像制御装置を備えているので、多様な撮像手段の切り替えと制御がシリアル通信信号に含まれる切り替え情報を介して可能になる。
【発明の効果】
【００２０】
以上説明したように、本発明にかかる撮像制御装置と、表面実装機とによれば、シリアル通信信号に含まれる切り替え情報を介して一つの撮像制御装置から多様な撮像手段の切り替えと制御が可能になる。
【００２１】
そして、シリアル通信を利用して切り替え情報を与えるようにしているため、信号切り替えのための制御ユニットや配線を別途設ける必要がない。
【発明を実施するための最良の形態】
【００２２】
以下、添付図面を参照しながら本発明の好ましい実施の一形態について詳述する。図１は本発明の実施の形態に係る撮像制御装置３０を備えた表面実装機１の構成を示す平面図であり、図２は、表面実装機１のヘッドユニット７の周辺の構成を示す側面図である。
【００２３】
図１と図２とに示すように、本発明の実施の形態に係る表面実装機１は、電子部品を基板２に実装する装置であって、基台３上に配置されて基板２を搬送する基板搬送手段４と、この基板搬送手段４の両側に配置され、複数の電子部品を供給する部品供給部５と、この部品供給部５から電子部品を吸着することが可能な吸着用ノズルを有する実装用ヘッド６を担持して部品供給部５と基板２との間を移動可能なヘッドユニット７と、実装用ヘッド６の吸着ノズルに吸着された電子部品について吸着状態の認識などを行う画像認識手段８（図３）とを備えている。
【００２４】
上記基板搬送手段４は、基台３上において基板２を図１の右側から左側へ搬送する一対のコンベア４ａ、４ａを有しており、このコンベア４ａ、４ａにより搬入された基板２は、所定の実装作業位置（同図に示す基板２の位置）で一旦停止させられ、ここで電子部品が基板２に実装される。
【００２５】
上記部品供給部５は、基板搬送手段４の両側に配列された多数のテープフィーダ５ａを備えている。このテープフィーダ５ａは、詳しくは図示しないが、各々ＩＣ、トランジスタ、コンデンサ等の小片状のチップ電子部品を所定間隔おきに収納、保持したテープが巻回されたリールを有しており、このリールから電子部品を間欠的に繰り出すように構成されている。
【００２６】
上記実装用ヘッド６は、この部品供給部５のリールから間欠的に繰り出される電子部品を吸着ノズルにより吸着保持するものであり、図略の負圧発生装置に接続されることにより、ノズル先端に負圧状態を発生させ、この負圧吸着力により、電子部品を着脱可能に吸着保持し得るようになっている。
【００２７】
また上記吸着ノズルは、それぞれ、ヘッドユニット７に対して図略のノズル昇降駆動手段により昇降（Ｚ軸方向の移動）が可能に、かつ図略のノズル回転駆動手段によりノズル中心軸回りの回転（Ｒ軸回りの回転）が可能に構成されている。
【００２８】
ここで、ノズル昇降駆動手段は、吸着もしくは装着を行う時の下降位置と、搬送や撮像を行う時の上昇位置との間で吸着ノズル吸着ノズルを昇降させるものであり、ノズル回転駆動手段は、吸着ノズルを必要に応じて回転させて、電子部品の姿勢を調整するものである。これらノズル昇降駆動手段とノズル回転駆動手段は、それぞれサーボモータと所定の動力伝達機構で構成されている。
【００２９】
上記ヘッドユニット７は、本実施形態では、６本の実装用ヘッド６がＸ軸方向（基板搬送手段４の搬送方向）に等間隔で一列に並べられた状態で搭載され、これらの実装用ヘッド６で吸着された複数の電子部品を部品供給部５と基板２との間で搬送し、電子部品を基板２に一つ一つ実装する。そのため、このヘッドユニット７は、基台３の所定範囲にわたりＸ軸方向及びＹ軸方向（Ｘ軸方向と直交する方向）に移動可能となっている。
【００３０】
すなわち、ヘッドユニット７は、Ｘ軸方向に延びる実装用ヘッド支持部材７ａに対してＸ軸に沿って移動可能に支持されている。また、実装用ヘッド支持部材７ａは、両端部がＹ軸方向の固定レール９に支持され、この固定レール９に沿ってＹ軸方向に移動可能になっている。そして、このヘッドユニット７は、Ｘ軸サーボモータ１１によりボールねじ１２を介してＸ軸方向に駆動され、実装用ヘッド支持部材７ａは、Ｙ軸サーボモータ１３によりボールねじ１４を介してＹ軸方向へ駆動される。
【００３１】
上記画像認識手段８（図３）は、複数の撮像手段１５、１６として、本実施形態では、ヘッドユニット７に設けられた２つのマークカメラ１５（１５ａ、１５ｂ）と、１つのサイドビューカメラ１６とを備えている。また、この画像認識手段８は、これらの撮像手段１５、１６が撮像した画像の画像処理を行う画像処理装置２３（図３）と、本発明にかかる撮像制御装置３０（図３）を備えている。
【００３２】
マークカメラ１５（１５ａ、１５ｂ）は、基板２に設けられたフィデューシャルマーク３ａ，３ｂ）を認識することにより、基板２の位置を認識するためのカメラであり、撮像方向を下向きにした状態でヘッドユニット７に組付けられている。基板２が実装作業位置に搬入されると、このマークカメラ１５による撮像に基づきフィデューシャルマーク３ａ，３ｂが画像認識され、装置本体に対する基板２の相対的な位置関係が調べられるようになっている。
【００３３】
サイドビューカメラ１６は、吸着ノズルによる電子部品の吸着状態を側方から画像認識するためのカメラであり、撮像方向を横向きにした状態で実装用ヘッド支持部材７ａに固定されている。電子部品が、各部品供給部５において吸着ノズルに吸着されると、このサイドビューカメラ１６による撮像に基づき、各部品供給部５から基板２に移送される間に吸着ノズルの横方から電子部品が画像認識されるようになっている。
【００３４】
その他、本実施形態では、部品認識カメラ１７が設けられている。この部品認識カメラ１７は、吸着ノズルによる電子部品の吸着状態を画像認識するためのカメラであり、撮像方向を上向きにした状態で基台１上に固定されている。電子部品が、各部品供給部５において吸着ノズルに吸着されると、この部品認識カメラ１７による撮像に基づき、各部品供給部５から基板２に移送される間に吸着ノズルの下方から電子部品が画像認識され、吸着ノズルに対する電子部品の吸着状態が調べられるようになっている。
【００３５】
また、これらのマークカメラ１５とサイドビューカメラ１６と部品認識カメラ１７とは、それぞれ照明装置を一体に備えている。
【００３６】
なお、本実施形態では、マークカメラ１５とサイドビューカメラ１６の制御にかかる撮像制御装置３０について説明し、部品認識カメラ１７の制御については、説明を省略するものとする。
【００３７】
次に、図３〜図５を参照して表面実装機１の制御装置２０について説明する。図３は、表面実装機１の制御装置２０の概略の構成を示すブロック図である。
【００３８】
図３に示すように、表面実装機１の制御装置２０は、その機能構成として主制御装置２１、軸制御装置２２、画像処理装置２３を備えている。
【００３９】
主制御装置２１は、実装機の動作を統括的に制御するもので、論理演算を実行する周知のＣＰＵ、そのＣＰＵを制御する種々のプログラムなどを予め記憶するＲＯＭおよび装置動作中に種々のデータを一時的に記憶するＲＡＭ等から構成される。
【００４０】
この主制御装置２１は、図略の記憶部に予め記憶されているプログラムに従ってヘッドユニット７等を作動すべく軸制御装置２２を介して各サーボモータ２４を駆動制御する。なお各サーボモータ２４には、それぞれエンコーダ２５が設けられており、これにより各部の移動位置が検出される。
【００４１】
また、この主制御装置２１は、画像処理装置２３と本発明にかかる撮像制御装置３０とを介してマークカメラ１５およびサイドビューカメラ１６を駆動制御するように構成されている。
【００４２】
ここで、図４は、本発明の実施の形態に係る撮像制御装置３０の概略の構成を示すブロック図である。
【００４３】
図４に示すように、本発明の実施の形態に係る撮像制御装置３０は、撮像手段１５、１６（マークカメラ１５ａ、１５ｂおよびサイドビューカメラ１６）と画像処理装置２３との間に設けられた信号処理装置３０ａを備え、この信号処理装置３０ａは、後記撮像信号線３５および制御信号線３６などの通信線を含む撮像手段側複合通信ケーブル３７を介して各撮像手段１５、１６に接続されるとともに、信号線３５、３６などの通信線を含む画像処理装置側複合通信ケーブル３８を介して制御装置２０の画像処理装置２３に接続されている。また、上記信号処理装置３０ａは、複合切り替え回路３１と、シリアル通信線３２と、複合切り替え回路３１の信号線の選択的な切り替えを制御する演算回路３３と、波形整形回路３４とを備えている。
【００４４】
上記複合切り替え回路３１は、複数の撮像手段１５、１６（マークカメラ１５およびサイドビューカメラ１６）と画像処理装置２３との間に設けられた撮像信号線切り替え回路３１ａと制御信号線切り替え回路３１ｂとを有している。
【００４５】
撮像信号線切り替え回路３１ａは、いずれかの撮像手段１５、１６からの撮像信号を選択的に制御装置２０の画像処理装置２３に送るため、撮像手段１５、１６が発信した画像にかかる撮像信号を伝達する撮像信号線３５を切り替える回路である。
【００４６】
撮像信号は、撮像手段１５、１６が撮像した画像の画像信号と撮像手段１５、１６が採用しているクロック信号とを含み、撮像信号線３５は、この画像信号を伝達する画像信号線３５ａとクロック信号を伝達するクロック信号線３５ｂとを備え、撮像信号線切り替え回路３１ａは、この画像信号線３５ａを選択的に切り替える画像信号線切り替え回路３５ｃとクロック信号線３５ｂを選択的に切り替えるクロック信号線切り替え回路３５ｄとを備えている。
【００４７】
また、制御信号線切り替え回路３１ｂは、画像処理装置２３が発信した撮像手段１５、１６の駆動を制御する制御信号を撮像手段１５、１６に伝達する制御信号線３６を選択的に切り替える回路である。
【００４８】
上記シリアル通信線３２は、複数の撮像手段１５、１６と画像処理装置２３との間に設けられ、撮像手段１５、１６と画像処理装置２３との間で送受信するシリアル通信信号を相互に伝達する通信線である。
【００４９】
このシリアル通信信号は、撮像手段１５、１６の状態を報告するレポート情報および撮像手段１５、１６の設定変更にかかる設定コマンド情報を含んでいる。
【００５０】
上記演算回路３３は、シリアル通信線３２により複数の撮像手段１５、１６と画像処理装置２３との間で伝達されるシリアル通信信号に含まれる切り替え情報に応じて、複合切り替え回路３１の撮像信号線切り替え回路３１ａと、制御信号線切り替え回路３１ｂとにおける、それぞれの信号線の選択的な切り替えを制御する回路である。
【００５１】
ここで、撮像手段１５、１６と信号処理装置３０ａとの間において撮像信号と、制御信号と、シリアル通信信号とは、撮像手段１５、１６および信号処理装置３０ａに装脱可能な、一体となった撮像手段側複合通信ケーブル３７に備えられた撮像信号線３５と、制御信号線３６と、シリアル通信線３２とを介してそれぞれの信号が撮像手段１５、１６と信号処理装置３０ａとの間で授受されるように構成されている。
【００５２】
また、信号処理装置３０ａと画像処理装置２３との間において撮像信号と、制御信号と、シリアル通信信号とは、信号処理装置３０ａおよび画像処理装置２３に装脱可能な、画像処理装置側複合通信ケーブル３８に備えられた撮像信号線３５と、制御信号線３６と、シリアル通信線３２とを介してそれぞれの信号が信号処理装置３０ａと画像処理装置２３との間で授受されるように構成されている。
【００５３】
ここで、図５は、撮像制御装置３０が採用しているカメラリンク規格のインターフェースを示す概念図であり、表１は、カメラリンク規格のインターフェースの各ピンＰ１〜２６ごとの信号を示す表である。
【００５４】
【表１】
2008092355.tif 000003
【００５５】
図５と表１とに示すように、本実施形態では、これら撮像手段側複合通信ケーブル３７と画像処理装置側複合通信ケーブル３８とは、一般の監視カメラで広く採用されているカメラリンク規格のインターフェースに準拠した構成になっている。なお、これら撮像手段側複合通信ケーブル３７と、画像処理装置側複合通信ケーブル３８とは、図４では省略しているが、各装置の電源のための電力線３９（図５）も備えている。
【００５６】
上記波形整形回路３４は、撮像手段側複合通信ケーブル３７で伝送される間に歪んだ撮像信号の波形を整形するものであり、撮像手段１５、１６のクロック信号に同期する位相同期回路４０（ＰＬＬ）を用いて歪んだ波形を整形するように構成されている。
【００５７】
次に図６を参照して、本発明の実施の形態に係る撮像制御装置３０の作用について説明する。図６は、本発明の実施の形態に係る撮像制御装置３０の制御要領を示すフロー図である。
【００５８】
図６に示すように、本発明の実施の形態に係る撮像制御装置３０においては、まず、ステップＳ１において、画像処理装置２３がシリアル通信線３２を介して撮像手段１５、１６を選択する選択コマンドを発信する。
【００５９】
次にステップＳ２において、この選択コマンドを撮像制御装置３０が認識して、複合切り替え回路３１を切り替え、選択した撮像手段１５、１６と画像処理装置２３とを接続する。
【００６０】
そしてステップＳ３において、ゲインや露光時間など、撮像手段１５、１６の設定変更が必要かどうかが判定され、ＮＯの場合すなわち撮像手段１５、１６の設定変更が不要な場合は、ステップＳ６に進んで、必要に応じて制御信号が発信され、撮像手段１５、１６で撮像が行われて、画像信号が画像処理装置２３に取り込まれる。
【００６１】
また、ステップＳ３において、ＹＥＳすなわち、ゲインや露光時間など、撮像手段１５、１６の設定変更が必要な場合は、ステップＳ４に進み、画像処理装置２３がシリアル通信線３２に撮像手段１５、１６の設定コマンドを発信し（ステップＳ４）、撮像制御装置３０が、設定コマンドを認識して、シリアル通信線３２を介して撮像手段１５、１６に設定コマンドを発信し設定を変更する（ステップＳ５）。そして、ステップＳ６に進んで必要に応じて制御信号が発信され、撮像手段１５、１６で撮像が行われて、画像信号が画像処理装置２３に取り込まれる。
【００６２】
以上説明したように、本発明の実施の形態に係る撮像制御装置３０によれば、複数の撮像手段１５、１６と画像処理装置２３との間に設けられたシリアル通信線３２が、撮像手段１５、１６と画像処理装置２３との間で送受信するシリアル通信信号を相互に伝達し、演算回路３３が、このシリアル通信信号に含まれる切り替え情報に応じて、複合切り替え回路３１の撮像信号線切り替え回路３１ａと、制御信号線切り替え回路３１ｂとにおける、それぞれの信号線の選択的な切り替えを制御する。その結果、シリアル通信信号に含まれる切り替え情報を介して、ゲインや露光時間などの、各監視カメラの設定変更についても撮像制御装置３０側から切り替えたり、変更したりすることができるようになるなど、一つの撮像制御装置３０から多様な撮像手段１５、１６の切り替えと制御ができるようになる。
【００６３】
そして、シリアル通信を利用して切り替え情報を与えるようにしているため、信号切り替えのための制御ユニットや配線を別途設ける必要がない。
【００６４】
また、撮像手段１５、１６や信号処理装置３０ａに装脱可能な、撮像手段側複合通信ケーブル３７を介してそれぞれの信号が授受されるので、撮像手段１５、１６と信号処理装置３０ａとの間の信号線にかかる配線とその取り扱いが容易になる。
【００６５】
また、信号処理装置３０ａや画像処理装置２３に装脱可能な、画像処理装置側複合通信ケーブル３８を介してそれぞれの信号が授受されるので、信号処理装置３０ａと画像処理装置２３との間の信号線にかかる配線とその取り扱いが容易になる。
【００６６】
また、画像信号線切り替え回路３５ｃが、画像信号線３５ａを選択的に切り替えるとともに、クロック信号線切り替え回路３５ｄが、クロック信号線３５ｂを選択的に切り替えるので、画像信号としてデジタルな画像信号を複数の撮像手段１５、１６と画像処理装置２３との間で切り替えることができるようになる。
【００６７】
さらに、撮像手段１５、１６の切り替えを行う際に、選択した撮像手段１５、１６の状態にかかるレポート情報を入手したり、この撮像手段１５、１６の設定変更を行ったりすることができるようになる。
【００６８】
そして、本発明の実施の形態に係る表面実装機１によれば、表面実装機１の画像認識手段８が上記の本発明にかかる撮像制御装置３０を備えているので、多様な撮像手段１５、１６の切り替えと制御がシリアル通信信号に含まれる切り替え情報を介して可能になる。
【００６９】
上述した実施の形態は本発明の好ましい具体例を例示したものに過ぎず、本発明は上述した実施の形態に限定されない。
【００７０】
例えば、本発明の実施の形態に係る表面実装機１は、必ずしも図示の形状に限定されない。移動可能なヘッドユニット７の実装用ヘッド６に設けられた吸着ノズルにより部品供給部５から電子部品を吸着した後、この電子部品を基板２上に実装するように構成されるとともに、吸着ノズルによる電子部品の吸着状態の認識などのために複数の撮像手段を備えている表面実装機であれば、種々の設計変更が可能である。
【００７１】
また、画像認識手段８は、ヘッドユニット７に設けられた２つのマークカメラ１５と、１つのサイドビューカメラ１６とを備えたものに限定されない。複数の撮像手段と、これらの撮像手段が撮像した画像の画像処理を行う画像処理装置２３と、本発明にかかる撮像制御装置３０を備えているものであれば、種々の画像認識手段が採用可能である。
【００７２】
さらに、撮像手段側複合通信ケーブル３７と画像処理装置側複合通信ケーブル３８のインターフェースのための規格としては、必ずしも図示のカメラリンク規格に限定されない。一体化された複合通信ケーブルのための規格であれば、その他種々の規格が採用可能である。
【００７３】
その他、本発明の特許請求の範囲内で種々の設計変更が可能であることはいうまでもない。
【図面の簡単な説明】
【００７４】
【図１】本発明の実施の形態に係る撮像制御装置を備えた表面実装機の構成を示す平面図である。
【図２】表面実装機のヘッドユニットの周辺の構成を示す側面図である。
【図３】表面実装機の制御装置の概略の構成を示すブロック図である。
【図４】本発明の実施の形態に係る撮像制御装置の概略の構成を示すブロック図である。
【図５】撮像制御装置が採用しているカメラリンク規格のインターフェースを示す概念図である。
【図６】本発明の実施の形態に係る撮像制御装置の制御要領を示すフロー図である。
【符号の説明】
【００７５】
１    表面実装機
２    基板
５    部品供給部
６    実装用ヘッド
８    画像認識手段
１５    マークカメラ（撮像手段）
１６    サイドビューカメラ（撮像手段）
２３    画像処理装置
３０    撮像制御装置
３０ａ  信号処理装置
３１ａ  撮像信号線切り替え回路
３１ｂ  制御信号線切り替え回路
３２    シリアル通信線
３３    演算回路
３５    撮像信号線
３６    制御信号線
３７    撮像手段側複合通信ケーブル
３８    画像処理装置側複合通信ケーブル
３５ｂ  クロック信号線
３５ｄ  クロック信号線切り替え回路
【図１】
2008092355.tif 000004
【図２】
2008092355.tif 000005
【図３】
2008092355.tif 000006
【図４】
2008092355.tif 000007
【図５】
2008092355.tif 000008
【図６】
2008092355.tif 000009